(57)【要約】【課題】  施工期間を短縮し、コストダウンを図るとともに、効果的な拘束と鋼板の補強も行えるようにする。【解決手段】  三面が露出した既設柱の補強方法であって、厚みを大きくした間隔保持部（１１）を両端部に有する鋼板（１０）で前記三面を覆い、対向する間隔保持部間に柱（１）を貫通して鋼棒（１３）を設置して鋼板を固定するとともに、鋼板と柱間に充填材（１５）を充填して鋼板と柱を一体化する。【選択図】        図１
2008196288.tif 000002
【特許請求の範囲】
【請求項１】
三面が露出した既設柱の補強方法であって、厚みを大きくした間隔保持部を両端部に有する鋼板で前記三面を覆い、対向する間隔保持部間に柱を貫通して鋼棒を施工して鋼板を固定するとともに、鋼板と柱間に充填材を充填して鋼板と柱を一体化することを特徴とする既設柱の耐震補強方法。
【請求項２】
三面が露出した既設柱の補強方法であって、厚みを大きくした間隔保持部を両端部に有する鋼板で前記三面を覆い、間隔保持部材を通して柱に対してアンカー筋を施工して鋼板を柱に固定するとともに、鋼板と柱間に充填材を充填して鋼板と柱を一体化することを特徴とする既設柱の耐震補強方法。
【請求項３】
前記アンカー筋は、互い違いに反対側の面から施工されていることを特徴とする請求項２記載の既設柱の耐震補強方法。
【請求項４】
三面が露出した既設柱の補強方法であって、両端部に補強プレートを溶接した鋼板で前記三面を覆い、対向する補強プレート間に柱を貫通して鋼棒を施工して鋼板を固定するとともに、鋼板と柱間に樹脂注入して鋼板と柱を一体化することを特徴とする既設柱の耐震補強方法。
【請求項５】
三面が露出した既設柱の補強方法であって、両端部に補強プレートを溶接した鋼板で前記三面を覆い、補強プレートを通して柱に対してアンカー筋を施工して鋼板を柱に固定するとともに、鋼板と柱間に樹脂注入して鋼板と柱を一体化することを特徴とする既設柱の耐震補強方法。
【請求項６】
前記補強プレートは、柱高さ方向に複数に分割されている、或いは一体であることを特徴とする請求項４または５記載の既設柱の耐震補強方法。
【発明の詳細な説明】
【技術分野】
【０００１】
本発明は高架橋柱、橋脚・橋台の柱等の既設柱の耐震補強方法に関するものである。
【背景技術】
【０００２】
従来、高架橋柱等の既設柱における耐震補強方法として、鋼板巻き補強が一般的に行われているが、鋼板巻きは四面巻きの補強か、一面からの補強のどちらかの選択で行われていた。このため、柱背面に土留壁などの支障物があった場合は、一面補強で耐震補強を行わなければならない。
【０００３】
図６は一面補強を説明する図である。
既設柱１の背面に土留壁２がある場合、土留壁と反対側の柱面から削孔して鋼板３を配設し、鋼板を通してアンカー筋４を施工してボルト５を締め付けることで鋼板と柱とを一体化し、アンカー筋４と柱との間の付着力で鋼板により柱を拘束する。
【０００４】
しかし、このような一面補強では、アンカー筋の本数を多くとる必要があり、アンカー筋の削孔に多くの時間を要し、キ電停止間合い等の夜間の短時間で施工しなければならない箇所や、ハンチ筋が配置されているハンチ箇所、軸方向がダブル配筋の柱箇所等においては、アンカー筋を伴う補強を行うことが困難であった。
【０００５】
また、建築における壁付き柱の耐震補強構造として、壁接続部以外の柱の３面を鉄板で被覆し、補強板と柱との間に形成された間隙部にモルタルを圧入し、通しボルトやアンカーボルトで鉄板を固定するものも提案されている（特許文献１）。
【特許文献１】特開平１０−１９６１３２号公報
【発明の開示】
【発明が解決しようとする課題】
【０００６】
しかし、特許文献１の補強方法では、柱を鉄板で被覆したときに形成される間隙にモルタルを圧入しているため、隙間のない箇所にはモルタルが入らず、均一なモルタル層の形成が困難であるとともに、モルタルが完全に入ったか否かの確認も困難で、モルタルが入っていない隙間があると耐震強度が落ちてしまうことになる。また、特許文献１の通しボルト、アンカーボルトは鉄板が剥がれないようにしているのみで、せん断補強用としての機能はなく、高架橋柱や橋脚・橋台の柱等の耐震補強用としては充分ではなく、また、鋼板固定部分に応力が集中して鋼板が破断し易いという問題がある。
【課題を解決するための手段】
【０００７】
本発明は上記課題を解決しようとするもので、施工期間を短縮し、コストダウンを図るとともに、効果的な柱の拘束と鋼板の補強も行えるようにすることを目的とする。
本発明は、三面が露出した既設柱の補強方法であって、厚みを大きくした間隔保持部を両端部に有する鋼板で前記三面を覆い、対向する間隔保持部間に柱を貫通して鋼棒を施工して鋼板を固定するとともに、鋼板と柱間に充填材を充填して鋼板と柱を一体化することを特徴とする。
また、本発明は、三面が露出した既設柱の補強方法であって、厚みを大きくした間隔保持部を両端部に有する鋼板で前記三面を覆い、間隔保持部材を通して柱に対してアンカー筋を施工して鋼板を柱に固定するとともに、鋼板と柱間に充填材を充填して鋼板と柱を一体化することを特徴とする。
また、本発明は、前記アンカー筋が、互い違いに反対側の面から施工されていることを特徴とする。
また、本発明は、三面が露出した既設柱の補強方法であって、両端部に補強プレートを溶接した鋼板で前記三面を覆い、対向する補強プレート間に柱を貫通して鋼棒を施工して鋼板を固定するとともに、鋼板と柱間に樹脂注入して鋼板と柱を一体化することを特徴とする。
また、本発明は、三面が露出した既設柱の補強方法であって、両端部に補強プレートを溶接した鋼板で前記三面を覆い、補強プレートを通して柱に対してアンカー筋を施工して鋼板を柱に固定するとともに、鋼板と柱間に樹脂注入して鋼板と柱を一体化することを特徴とする。
また、本発明は、前記補強プレートが、柱高さ方向に複数に分割されている、或いは一体であることを特徴とする。
【発明の効果】
【０００８】
本発明は、既設柱三面から鋼板補強し、鋼板と既設柱を鋼棒、アンカー筋で一体化することで、既設柱に対して大きな拘束力を得ることが可能である。また、一面補強と比べて工期の短縮、コストダウンを図ることができるとともに、鋼棒、アンカー筋で接合する部分には、鋼板と既設柱間に間隔を保持するための間隔保持部や補強プレートを形成したので、接合部の鋼板の補強ができるとともに、鋼板と柱間に均一な充填層、樹脂層を形成することができるため効果的に柱の拘束を行うことができる。
【発明を実施するための最良の形態】
【０００９】
以下、本発明の実施の形態について説明する。
図１はＰＣ鋼棒を用い、既設柱三面から鋼板補強する例を示しており、図１（ａ）は平面図、図１（ｂ）は側断面図、図１（ｃ）は側面図である。
図示するように、既設柱１には土留壁２が柱背面側に存在しているため、四面補強はできないが、既設柱の三面が露出して鋼板を配設することが可能な状況にある。本実施形態では、この三面に対して鋼板１０を配設する。鋼板１０の両端部は既設柱との間に間隔を保持するための間隔保持部１１（詳細は後述）を有しており、間隔保持部１１を柱三面の端部位置（土留壁隣接位置）に対向させる。柱に対して鋼板を配設したとき、鋼板両端部の間隔保持部１１は柱を介して対向する位置関係にあり、この間隔保持部１１間をＰＣ鋼棒１３で締め付ける。なお、ＰＣ鋼棒１３は削孔した孔を貫通させてモルタル等の充填材で充填し、両端部は緊締具１４で固定する。そして、間隔保持部の厚みにより鋼板１０と既設柱１の間にできた空間にはモルタルや無収縮モルタル等の充填材１５を充填して鋼板と既設柱とを一体化して柱を拘束する。
【００１０】
本実施形態では鋼板と既設柱を一体化するＰＣ鋼棒１３がせん断補強を兼ねるため、大きな拘束力を得ることが可能である。また、一面補強と比べて削孔数が少なくてすみ、工期の短縮、コストダウンを図ることができる。また、厚みの大きい間隔保持部を形成して、この部分をＰＣ鋼棒で緊締したので、応力集中部分の鋼板を補強ができるとともに、鋼板と柱間に均一なモルタル層を形成することができ、効果的に拘束力を得ることができる。なお、上記説明では間隔保持部と支圧板の間をＰＣ鋼棒で締め付けるようにしたが、ＰＣ鋼棒に限らず、高強度鉄筋、異径棒鋼等の鋼棒により締め付けるようにしてもよい。
【００１１】
図２はアンカー筋を用い、既設柱三面から鋼板補強する例を示しており、図２（ａ）は平面図、図２（ｂ）は側断面図、図２（ｃ）は側面図である。
鋼板１０の両端部は既設柱との間に間隔を保持するための間隔保持部１１を有していて、この間隔保持部１１を柱三面の端部位置（土留壁隣接位置）に対向させて配設するのは図１の場合と同様である。そして、間隔保持部１１と対向する位置で、軸方向鉄筋１６を避ける位置に、互い違いに対向面側から削孔した穴に間隔保持部を通して、柱との付着をとるための異径鉄筋等からあるアンカー筋１７を施工し、穴内にモルタル等の充填材を充填し、端部を緊締具１４で固定する。そして、間隔保持部の厚みにより鋼板１０と既設柱１の間にできた空間にはモルタルや無収縮モルタル等の充填材１５を充填して鋼板と既設柱とを一体化して柱を拘束する。
【００１２】
本実施形態でも、鋼板と既設柱を一体化するアンカー筋１７がせん断補強を兼ねるため、大きな拘束力を得ることが可能である。また、アンカー筋１７は鋼板を既設柱に固定するだけの機能であってもよい。一面補強と比べて削孔数が少なくてすみ、工期の短縮、コストダウンを図ることができる。また、厚みの大きい間隔保持部を形成して、この部分をアンカー筋で緊締したので、応力集中部分の鋼板を補強ができるとともに、鋼板と柱間に均一なモルタル層を形成することができ、効果的に拘束力を得ることができる。
【００１３】
図３は鋼板端部に形成した間隔保持部を説明する図である。
間隔保持部１１は、鋼板１０の両端部に開先溶接等の方法で接合したものであり、２０はその溶接部を示している。ｔ１は鋼板面から突出している高さ、ｔ２は間隔保持部の厚みであり、既設柱の置かれている状況により適宜の値を選択する。通常、可能であればｔ１は３０ｍｍ程度であるが、それだけの高さがとれない場合もあり、例えば１０〜３５ｍｍ程度、ｔ２は２０〜４５ｍｍ程度である。この間隔保持部はモルタル等の充填材の均一な厚みの層形成を可能にするとともに、充填材が逃げないように機能し、また、鋼棒やアンカー筋での締め付け部分に発生する応力集中に対して鋼板を補強する。この間隔保持部を設けたことで効果的に三面補強が可能となった。
【００１４】
なお、上記実施の形態では、端部に厚い間隔保持部を設けた鋼板を用い、柱と鋼板の間にモルタル等を充填して既設柱の補強を行うようにしたが、以下に、鋼板端部に鋼板等からなる補強プレートを溶接した例について説明する。
【００１５】
図４は端部に補強プレートを溶接した鋼板を示す図である。
補強プレート３０は鋼板端部に溶接され、図１、図２に示した間隔保持部と同様に、補強プレート３０を既設柱の露出した三面の端部位置に対向して配置し、図１、図２の場合と同様の方法で鋼板が既設柱の露出した三面に取り付けられる。
【００１６】
すなわち、ＰＣ鋼棒、高強度鉄筋、異径棒鋼等の鋼棒を使用する場合は、補強プレート３０が既設柱の露出した三面の端部位置に対向するように鋼板を配設する。柱に対して鋼板を配設したとき、鋼板両端部の補強プレート３０は柱を介して対向する位置関係にあり、この補強プレート３０間を貫通して削孔した孔に鋼棒を通し、孔内にモルタル等の充填材を充填し、両端部を緊締具で固定することで締め付ける。そして、補強プレートの厚みにより鋼板１０と既設柱１の間にできた間隙にエポキシ樹脂等の接着用の樹脂を注入することで鋼板と柱とを一体化して柱を拘束する。なお、樹脂注入する間隙（補強プレート３０の厚み）は３〜５ｍｍでよい。
【００１７】
アンカー筋を使用する場合も、同様に、補強プレート３０が既設柱の露出した三面の端部位置に対向するように鋼板を配設し、補強プレートと対向する位置で、軸方向鉄筋を避ける位置に削孔した穴に補強プレートを通して柱との付着をとるための異径鉄筋等からなるアンカー筋を施工し、穴内にモルタル等の充填材を充填し、端部を緊締具で固定する。そして、同様に、鋼板と既設柱との間の３〜５ｍｍの間隙にエポキシ樹脂等の接着用の樹脂を注入して鋼板と柱とを一体化する。
【００１８】
図５は補強プレート部の固定方法を説明する図である。
図５（ａ）は、補強プレートを柱高さ方向に分割し、各分割片の位置で鋼棒、或いはアンカー筋により固定する場合、図５（ｂ）は柱高さ方向に長片の一体の補強プレートを用い、複数位置で鋼棒、或いはアンカー筋により固定する場合を示しており、既設柱の置かれた状況に応じて適宜採用すればよい。
【産業上の利用可能性】
【００１９】
本発明によれば、既設柱三面からの補強で充分な耐震補強を達成でき、工期の短縮、コストダウンを図ることができるので産業上の利用価値は大きい。
【図面の簡単な説明】
【００２０】
【図１】ＰＣ鋼棒を用い、既設柱三面から鋼板補強する例を示す図である。
【図２】アンカー筋を用い、既設柱三面から鋼板補強する例を示す図である。
【図３】間隔保持部を説明する図である。
【図４】端部に補強プレートを溶接した鋼板を示す図である。
【図５】補強プレート部の固定方法を説明する図である。
【図６】一面補強を説明する図である。
【符号の説明】
【００２１】
１…既設柱、２…土留壁、１０…鋼板、１１…間隔保持部、１３…ＰＣ鋼棒、１４…緊締具、１５…充填材、１６…軸方向鉄筋、１７…アンカー筋、２０…溶接部、３０…補強プレート。
【図１】
2008196288.tif 000003
【図２】
2008196288.tif 000004
【図３】
2008196288.tif 000005
【図４】
2008196288.tif 000006
【図５】
2008196288.tif 000007
【図６】
2008196288.tif 000008